(57)【特許請求の範囲】
【請求項１】
キャスタを取り付ける足と、その足の上に立てて設ける脚部本体柱部材とで左右一対の脚部本体を構成するとともに、
上に、筆記ボード自体または筆記ボードを支持する部材を各々分割可能に連結する左右一対の連結フレーム柱部材と、それら左右一対の連結フレーム柱部材間を連結する補強ステーとで連結フレームを構成し、
少なくとも前記脚部本体柱部材と前記連結フレーム柱部材とを分割可能に直線状に連結して支柱を形成する、
ことを特徴とする、筆記ボード用スタンド。
【請求項２】
前記筆記ボード自体または前記筆記ボードを支持する部材を直接、前記左右一対の脚部本体に各々連結可能としてなることを特徴とする、請求項１に記載の筆記ボード用スタンド。
【発明の詳細な説明】
【０００１】
【発明の属する技術分野】
この発明は、たとえば電子黒板・ホワイトボード・掲示板・伝言板など、正面側に筆記面を有する筆記ボードを支持する筆記ボード用スタンドに関する。
【０００２】
【従来の技術】
従来、この種のスタンドの中に、たとえば図４に示すように、キャスタ付き足１ａの上に支柱１ｂを予め溶接して逆Ｔ字型に組み付けた左右の脚１と、それら脚１を連結する補強ステー２とを備え、組み立てるとき、補強ステー２の両端にそれぞれ支柱１ｂをねじ止めするものがある。
【０００３】
また、他のスタンドの中に、たとえば図５に示すように、組み立てるとき、同様に補強ステー２の両端に支柱１ｂにねじ止めし、その支柱１ｂの下端を、溶接ではなく、足１ａの矩形穴３に差し込んでその足１ａにねじ止めするものもあった。
【０００４】
【発明が解決しようとする課題】
ところが、従来、図４に示すスタンドでは、組立て時、左右の脚１に補強ステー２を連結するときに、比較的長くて重量のある脚１を支えながら、ねじ止め等の作業を行う必要があり、一人ではとても組み立てることが困難であり、組立性がよくない。また、脚１のように縦横に長いものがあると、出荷時や搬送時にそれだけ梱包形態が大きくなりかさばるという問題があった。
【０００５】
一方、図５に示すスタンドでは、支柱１ｂを足１ａに取り付ける前に補強ステー２にねじ止めするから、補強ステー２を支柱１ｂに連結するとき、なんとか一人でねじ止め等の作業を行うことはできる。しかし、図４のものと同様に、支柱１ｂ等のように縦横に長いものがあると、出荷時や搬送時にそれだけ梱包形態が大きくなってかさばるという問題があった。
【０００６】
【課題を解決するための手段】
そこで、請求項１に記載の発明は、キャスタを取り付ける足と、その足の上に立てて設ける脚部本体柱部材とで左右一対の脚部本体を構成するとともに、
上に、筆記ボード自体または筆記ボードを支持する部材を各々分割可能に連結する左右一対の連結フレーム柱部材と、それら左右一対の連結フレーム柱部材間を連結する補強ステーとで連結フレームを構成し、
少なくとも前記脚部本体柱部材と前記連結フレーム柱部材とを分割可能に直線状に連結して支柱を形成する、ことを特徴とする。
【０００７】
そして、スタンド１１を、たとえば出荷するときは、左右の脚２０の支柱２３を、複数の柱部材２６・２７に分割した状態で梱包箱等に収納して梱包する。一方、出荷先で組み立てるときは、その分割した柱部材２６・２７を直線状に連結して支柱２３を形成する。
【０００８】
請求項２に記載の発明は、請求項１に記載の筆記ボード用スタンドにおいて、前記筆記ボード自体または前記筆記ボードを支持する部材を直接、前記左右一対の脚部本体に各々連結可能としてなる、ことを特徴とする。
【０００９】
そして、組立て時、筆記ボードを、たとえば一段低い高さ位置にて使用したい場合は、連結フレームを使わず、筆記ボード自体または筆記ボードを支持する部材を直接、左右一対の脚部本体に各々連結して、支柱を一段短くした状態で筆記ボードを支持する。
【００１２】
【発明の実施の形態】
以下、図面を参照しつつ、この発明の実施の形態について説明する。
図１は、この発明によるスタンドで電子黒板を支持した状態を示す斜視図である。図中符号１０で電子黒板を示し、符号１１でスタンドを示す。
【００１３】
電子黒板１０は、全体に四角い横長扁平状をなし、後側に、全体を支持するベースフレーム１２を備える。ベースフレーム１２は、それぞれ角パイプからなる左右の垂直枠１３と上下の水平枠１４などで矩形枠状に形成してなる。
【００１４】
そして、ベースフレーム１２の前側で回転自在に支持する左右のローラ間に、エンドレスの筆記シート１５を掛け渡し、そのシート１５の一部を、ベースフレーム１２に取り付けた額状の窓枠１６の正面窓ａから臨ませ、そこに筆記面Ｓを形成してなる。また、電子黒板１０内には、光学読取装置を筆記シート１５の背後に取り付けてベースフレーム１２で支持してなる。
【００１５】
さらに、ベースフレーム１２の下水平枠１４には、プリンタ１７と、各種スイッチ等を設ける操作部ユニット１８を取り付け、一方、窓枠１６には、その下縁に沿って細長板状のペントレイ１９を設けてなる。
【００１６】
そして、電子黒板１０を使用するときは、ペントレイ１９上のマーカーペン等の筆記具を用いて筆記面Ｓに文字や絵等の書込みを行う。
【００１７】
書込み内容のコピーを取るときは、操作部ユニット１８上のコピースイッチを押して筆記シート１５を搬送し、そのシート上の書込み内容を光学読取装置で読み取り、そこからの信号をプリンタ１７に入れ、読取内容を縮小して該プリンタ内に収納した用紙に記録しながら、その記録済用紙を排出する。書込み内容を消去するときは、たとえばペントレイ１９上に置いた適宜イレーサで筆記面Ｓを拭いて書込み内容を掻き消す。
【００１８】
さて、スタンド１１は、図２に示すように、左右一対の脚部本体３０と、１つの連結フレーム３５とで構成する。
【００１９】
脚部本体３０は、それぞれ下側の足２２と、その足２２の上に立てて設ける柱部材２６とで構成する。足２２は、たとえば角パイプの両端にそれぞれ保護キャップ２４を取り付けて横にして設け、その両端下面にキャスタ２５を取り付けてなる。柱部材２６は、たとえば角パイプの上端にジョイント部材２８を取り付けてなる。そして、脚部本体３０は、それぞれ柱部材２６の下端を足２２の上面中央に立てて溶接等で固定し逆Ｔ字型に形成してなる。
【００２０】
連結フレーム３５は、たとえば角パイプからなる１本の補強ステー２１の両端に、それぞれ柱部材２６と同じ外形形状の角パイプからなる柱部材２７を、たとえば溶接で連結してＨ型に形成してなる。柱部材２７の図中上端には、それぞれジョイント部材２９を取り付けてなる。
【００２１】
ジョイント部材２８・２９は、柱部材２７または電子黒板１０の垂直枠１３の下端開口にともに挿入できるように、板金を同じ口形形状に折り曲げてつくる。そして、柱部材２６・２７に下端部をそれぞれ差し込んでスポット溶接等にて固定し、上端の連結部２８ａ・２９ａを上向きに突出させてなる。ジョイント部材２８・２９として、短い角パイプを用いてもよい。
【００２２】
さて、たとえば出荷時に工場で梱包するとき、上述したスタンド１１は、一対の脚部本体３０と１つの連結フレーム３５に分離した状態で梱包箱に収納する。
【００２３】
そして、スタンド１１を、たとえば出荷先で組み立てるときは、適宜間隔にあけて脚部本体３０を配置してから、連結フレーム３５を持ち上げ、柱部材２７に柱部材２６の連結部２８ａを挿入し、柱部材２６の上縁に柱部材２７の下縁を突き当てて柱部材２６・２７を直線状に連結する。しかして、それら柱部材２６・２７で支柱２３を構成し、その支柱２３と足２２とで左右に脚２０を形成する。そうして、望ましくは、柱部材２６に柱部材２７をねじ止めして連結フレーム３５を脚部本体３０に締結するとよい。
【００２４】
しかる後、電子黒板１０を持ち上げ、垂直枠１３の下端開口に柱部材２７の連結部２９ａを挿入し、垂直枠１３の下縁を柱部材２７の上縁に突き当てて柱部材２７と垂直枠１３を直線状に連結する。そして、柱部材２７に垂直枠１３をねじ止めしてベースフレーム１２をスタンド１１上に固定する。
【００２５】
ところで、補強ステー２１は、その両端を、スタンド１１を組み立てるときに柱部材２７にねじ止めする構成としてもよい。その場合は、連結フレーム３５を、さらに補強ステー２１と左右２つの柱部材２６・２７に分離した状態で、脚部本体３０とともに梱包箱に収納する。
【００２６】
さて、電子黒板１０を、たとえば一段低い高さ位置にて使用したい場合は、上記連結フレーム３５を使わず、脚部本体３０の柱部材２６を垂直枠１３に直接ねじ止めし、支柱２３を一段短くした状態で電子黒板１０を支持する。これにより、電子黒板１０を、柱部材２７の長さ分だけ低い所望の高さ位置で使用することができる。
【００２７】
また、上述した実施の形態では、スタンド１１の各支柱２３を、２つの柱部材２６・２７で構成するが、３つ以上の柱部材で構成することもできる。
【００２８】
たとえば図３に示すように、スタンド１１の各支柱２３を、柱部材４０・４１・４２の３つに分割可能に直線状に連結した構成とすることもできる。図３の例では、筆記ボードが前後両面に白色の筆記面Ｓを形成したホワイトボード４５であり、そのホワイトボード４５を支軸４６を中心として回転自在にスタンド１１で支持する構成としてなる。
【００２９】
【発明の効果】
したがって、請求項１に記載の発明によれば、スタンドの左右の支柱を、複数の柱部材に分割した構成とするため、組立て時は、軽く短い柱部材を持ってねじ止め作業などを一人で簡単に行えるようになり、それだけ組立性を良好にすることができる。また、スタンドの出荷時や搬送時は、支柱を複数の短い柱部材に分けるため、組立て前の構成部品を小さくしてその梱包形態を小型にすることができ、これにより、持ち運びなどの取り扱いを容易にすることができる。
【００３０】
また、上記支柱を複数の柱部材に分割した構成とするため、組立て時に、柱部材を連結する数を適宜選択して支柱長さを任意に調節することができ、これにより、スタンドで支持する筆記ボードの高さ位置を調整することができる。さらに、支柱長さを短くして使用するときは、たとえばキャスタで全体を安定させて簡単に移動させることができる。
【００３１】
請求項２に記載の発明によれば、組立て時、連結フレームを使わず、筆記ボード自体または筆記ボードを支持する部材を直接、左右一対の脚部本体に各々連結して、支柱を一段短くした状態で筆記ボードを支持可能とするので、筆記ボードを、連結フレーム柱部材の長さ分だけ低い所望の高さ位置で使用することができる。
【図面の簡単な説明】
【図１】この発明によるスタンドで電子黒板を支持する例を示す斜視図である。
【図２】その電子黒板とともに、スタンドを３体に分離して示す分解斜視図である。
【図３】この発明の他例で、そのスタンドでホワイトボードを支持する例を示す斜視図である。
【図４】従来の筆記ボード用スタンドの斜視図である。
【図５】従来の他の筆記ボード用スタンドの斜視図である。
【符号の説明】
１０            電子黒板（筆記ボード）
１１            スタンド
２０            脚
２１            補強ステー
２２            足
２３            支柱
２６・２７      柱部材
２８ａ・２９ａ  連結部
【図１】
0003904169.tif 000002
【図２】
0003904169.tif 000003
【図３】
0003904169.tif 000004
【図４】
0003904169.tif 000005
【図５】
0003904169.tif 000006